(57)【要約】【課題】  接続先のアクセスポイントを一覧表示する機能を有していない場合であっても、より確実かつ迅速に接続することが可能な無線通信装置等を提供すること。【解決手段】  アクセスポイントの一覧表示機能を有しないプロジェクター１００に含まれる無線通信装置１１０が、ＳＳＩＤが入力されるＵＳＢインターフェイス部１７０と、ネットワーク識別情報を指定しない要求情報をブロードキャスト送信することなく、ＳＳＩＤを指定した第１の要求情報をブロードキャスト送信することにより、アクセスポイントに関する第１の応答情報を受信する無線通信部１２０と、第１の応答情報に基づき、アクセスポイントに関するスキャンリストデータ１４２を更新する更新部１３０を含んで構成される。【選択図】  図２
2011239290.tif 000002
【特許請求の範囲】
【請求項１】
アクセスポイントの一覧表示機能を有しない電子機器に含まれる無線通信装置であって、
ＳＳＩＤが入力される入力部と、
ネットワーク識別情報を指定しない要求情報をブロードキャスト送信することなく、前記ＳＳＩＤを指定した第１の要求情報をブロードキャスト送信することにより、前記アクセスポイントに関する第１の応答情報を受信する無線通信部と、
前記第１の応答情報に基づき、前記アクセスポイントに関するスキャンリストデータを更新する更新部と、
を含む無線通信装置。
【請求項２】
請求項１に記載の無線通信装置において、
前記更新部は、前記第１の応答情報に含まれる信号強度を示す情報に基づき、信号強度の強い順に前記スキャンリストデータに含まれる前記アクセスポイントごとのデータを並べ替え、
前記無線通信部は、前記スキャンリストデータに基づき、前記信号強度の強い順に、ＳＳＩＤを指定した第２の要求情報をユニキャスト送信することにより、当該ＳＳＩＤに対応したアクセスポイントとの接続を行う、
無線通信装置。
【請求項３】
請求項１に記載の無線通信装置において、
前記更新部は、前記第１の応答情報に含まれる優先度を示す情報に基づき、優先度順に前記スキャンリストデータに含まれる前記アクセスポイントごとのデータを並べ替え、
前記無線通信部は、前記スキャンリストデータに基づき、前記優先度順に、前記ＳＳＩＤを指定した第２の要求情報をユニキャスト送信することにより、当該ＳＳＩＤに対応したアクセスポイントとの接続を行う、
無線通信装置。
【請求項４】
請求項２、３のいずれかに記載の無線通信装置において、
前記更新部は、前記第１の応答情報に含まれるＢＳＳＩＤを示す情報に基づき、前記スキャンリストデータを更新し、
前記無線通信部は、前記スキャンリストデータに基づき、前記ＳＳＩＤおよび前記ＢＳＳＩＤを指定した前記第２の要求情報をユニキャスト送信する、
無線通信装置。
【請求項５】
請求項１〜４のいずれかに記載の無線通信装置において、
前記アクセスポイントは、ＳＳＩＤが非公開の設定である、
無線通信装置。
【請求項６】
請求項１〜５のいずれかに記載の無線通信装置と、
前記ＳＳＩＤの指定を受け付ける指定画像を投写する投写部と、
前記ＳＳＩＤの指定を受け付ける受付部と、
当該受付部によって受け付けられた前記ＳＳＩＤを前記入力部に出力する出力部と、
を含むプロジェクター。
【請求項７】
請求項６に記載のプロジェクターにおいて、
前記投写部は、前記入力部に入力されたＳＳＩＤと一致するＳＳＩＤを有するアクセスポイントの有無を示す判定結果画像を投写する、
プロジェクター。
【請求項８】
アクセスポイントの一覧表示機能を有しない電子機器に含まれる無線通信装置が、
ＳＳＩＤが入力され、
ネットワーク識別情報を指定しない要求情報をブロードキャスト送信することなく、前記ＳＳＩＤを指定した第１の要求情報をブロードキャスト送信し、
前記アクセスポイントに関する第１の応答情報を受信し、
前記第１の応答情報に基づき、前記アクセスポイントに関するスキャンリストデータを更新する、
無線通信方法。
【発明の詳細な説明】
【技術分野】
【０００１】
本発明は、無線通信装置、プロジェクターおよび無線通信方法に関する。
【背景技術】
【０００２】
無線ＬＡＮの通信方式として、アクセスポイントを介さずに無線通信装置同士が直接通信を行うアドホックモードと、アクセスポイントを介して無線通信装置同士が通信を行うインフラストラクチャーモードがある。インフラストラクチャーモードでは、セキュリティーを確保するため、ＳＳＩＤ（Service Set Identifier、ＥＳＳＩＤともいう。）を使用してアクセスポイントに接続する方式が一般的である。例えば、特開２００５−１７６１００号公報では、ＳＳＩＤの入力を受け付け、当該ＳＳＩＤを用いた検索通信を行うことによってアクセスポイントに接続する通信端末が記載されている。
【先行技術文献】
【特許文献】
【０００３】
【特許文献１】特開２００５−１７６１００号公報
【発明の概要】
【発明が解決しようとする課題】
【０００４】
しかし、アクセスポイントでＳＳＩＤ非公開設定（ＳＳＩＤステルス、ＳＳＩＤ非通知）が行われている場合、要求情報をブロードキャスト送信しても当該アクセスポイントから応答が得られず、当該アクセスポイントから接続に必要な情報が得られない。特に、プロジェクター等の場合、ノート型ＰＣ（Personal Computer）のように無線通信装置を内蔵していることが一般的でないので、接続先のアクセスポイントを一覧表示する機能を有していない。このため、ユーザーは、プロジェクター等を、ＳＳＩＤ非公開設定が行われたアクセスポイントに接続させることができない場合がある。
【０００５】
本発明にかかるいくつかの態様は、上記課題を解決することにより、接続先のアクセスポイントを一覧表示する機能を有していない場合であっても、より確実かつ迅速に接続することが可能な無線通信装置、プロジェクターおよび無線通信方法を提供するものである。
【課題を解決するための手段】
【０００６】
本発明の態様の１つである無線通信装置は、アクセスポイントの一覧表示機能を有しない電子機器に含まれる無線通信装置であって、ＳＳＩＤが入力される入力部と、ネットワーク識別情報を指定しない要求情報をブロードキャスト送信することなく、前記ＳＳＩＤを指定した第１の要求情報をブロードキャスト送信することにより、前記アクセスポイントに関する第１の応答情報を受信する無線通信部と、前記第１の応答情報に基づき、前記アクセスポイントに関するスキャンリストデータを更新する更新部と、を含むことを特徴とする。
【０００７】
また、本発明の態様の１つであるプロジェクターは、上記無線通信装置と、前記ＳＳＩＤの指定を受け付ける指定画像を投写する投写部と、前記ＳＳＩＤの指定を受け付ける受付部と、当該受付部によって受け付けられた前記ＳＳＩＤを前記入力部に出力する出力部と、を含むことを特徴とする。
【０００８】
また、本発明の態様の１つである無線通信方法は、アクセスポイントの一覧表示機能を有しない電子機器に含まれる無線通信装置が、ＳＳＩＤが入力され、ネットワーク識別情報を指定しない要求情報をブロードキャスト送信することなく、前記ＳＳＩＤを指定した第１の要求情報をブロードキャスト送信し、前記アクセスポイントに関する第１の応答情報を受信し、前記第１の応答情報に基づき、前記アクセスポイントに関するスキャンリストデータを更新することを特徴とする。
【０００９】
本発明によれば、無線通信装置等は、ＳＳＩＤを指定した要求情報を送信して応答情報を受信することにより、アクセスポイントに関する十分な情報を得ることができ、当該情報をスキャンリストデータに反映することができる。無線通信装置等は、当該スキャンリストデータを用いてアクセスポイントに接続することにより、接続先のアクセスポイントを一覧表示する機能を有していない場合であっても、より確実に接続することができる。また、本発明によれば、無線通信装置等は、ネットワーク識別情報を指定しない要求情報をブロードキャスト送信しないことにより、より迅速にアクセスポイントに接続することが可能になる。
【００１０】
また、前記更新部は、前記第１の応答情報に含まれる信号強度を示す情報に基づき、信号強度の強い順に前記スキャンリストデータに含まれる前記アクセスポイントごとのデータを並べ替え、前記無線通信部は、前記スキャンリストデータに基づき、前記信号強度の強い順に、ＳＳＩＤを指定した第２の要求情報をユニキャスト送信することにより、当該ＳＳＩＤに対応したアクセスポイントとの接続を行ってもよい。これによれば、無線通信装置等は、信号強度の強い順に、ＳＳＩＤを指定した第２の要求情報をユニキャスト送信することにより、より迅速に所望のアクセスポイントに接続することができる。
【００１１】
また、前記更新部は、前記第１の応答情報に含まれる優先度を示す情報に基づき、優先度順に前記スキャンリストデータに含まれる前記アクセスポイントごとのデータを並べ替え、前記無線通信部は、前記スキャンリストデータに基づき、前記優先度順に、前記ＳＳＩＤを指定した第２の要求情報をユニキャスト送信することにより、当該ＳＳＩＤに対応したアクセスポイントとの接続を行ってもよい。これによれば、無線通信装置等は、優先度順に、ＳＳＩＤを指定した第２の要求情報をユニキャスト送信することにより、より迅速に所望のアクセスポイントに接続することができる。
【００１２】
また、前記更新部は、前記第１の応答情報に含まれるＢＳＳＩＤ（Basic Service Set Identifier）を示す情報に基づき、前記スキャンリストデータを更新し、前記無線通信部は、前記スキャンリストデータに基づき、前記ＳＳＩＤおよび前記ＢＳＳＩＤを指定した前記第２の要求情報をユニキャスト送信してもよい。これによれば、無線通信装置等は、ＳＳＩＤおよびＢＳＳＩＤを指定した要求情報をユニキャスト送信することにより、アクセスポイントのＳＳＩＤが非公開の設定であっても、当該アクセスポイントへの接続に必要な情報を得ることができる。
【００１３】
また、前記アクセスポイントは、ＳＳＩＤが非公開の設定であってもよい。これによれば、無線通信装置等は、ＳＳＩＤが非公開の設定になっているアクセスポイントであっても、接続に必要な情報を得ることができるため、当該アクセスポイントに接続することが可能になる。
【００１４】
また、前記投写部は、前記入力部に入力されたＳＳＩＤと一致するＳＳＩＤを有するアクセスポイントの有無を示す判定結果画像を投写してもよい。これによれば、ユーザーは、自分が指定したＳＳＩＤと一致するアクセスポイントがあるかどうかを判断することができる。
【図面の簡単な説明】
【００１５】
【図１】第１の実施例における通信状況を示す図である。
【図２】第１の実施例におけるプロジェクターの機能ブロック図である。
【図３】第１の実施例における無線通信手順を示すフローチャートである。
【図４】第１の実施例における無線ＬＡＮ設定画像の一例を示す図である。
【図５】第１の実施例におけるセキュリティー設定画像の一例を示す図である。
【図６】第１の実施例における設定完了画像の一例を示す図である。
【図７】第１の実施例における警告画像の一例を示す図である。
【発明を実施するための形態】
【００１６】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における通信状況を示す図である。プロジェクター１００は、着脱可能な無線通信装置１１０がプロジェクター１００のＵＳＢスロットに差し込まれた状態でアクセスポイント３００に無線で接続する。ＰＣ２００は、アクセスポイント３００に無線で接続している。プロジェクター１００は、アクセスポイント３００を介して送信されるＰＣ２００からの画像情報に基づき、スクリーン１０に画像２０を投写する。なお、実際には、アクセスポイント３００以外にも複数のアクセスポイントが存在している。
【００１８】
このような無線ネットワークが構成される場合、ＳＳＩＤが用いられることにより、各無線ネットワークが識別される。また、プロジェクター１００等は、アクセスポイント３００に接続する際に、プローブ要求パケット等を送信し、プローブ応答パケット等を受信することにより、接続に必要な情報を得る。しかし、アクセスポイント３００でＳＳＩＤが非公開の設定になっている場合、プロジェクター１００等は、ＳＳＩＤ等のネットワーク識別情報が指定されていないプローブ要求パケットをブロードキャスト送信しても、アクセスポイント３００から接続に必要な情報を得ることはできない。本実施例では、プロジェクター１００は、ＳＳＩＤを指定したプローブ要求パケットをブロードキャスト送信することにより、当該ＳＳＩＤに対応したアクセスポイント３００から接続に必要な情報を得る機能を有している。次に、このような機能を有するプロジェクター１００の機能ブロックについて説明する。
【００１９】
図２は、第１の実施例におけるプロジェクター１００の機能ブロック図である。プロジェクター１００は、無線通信装置１１０と、出力部としての機能を有するＵＳＢインターフェイス部１７２と、画像２０を投写する投写部１９０と、ユーザーの指示を受け付ける受付部１８０を含んで構成されている。また、無線通信装置１１０は、無線通信部１２０と、スキャンリストデータ１４２、ネットワーク設定データ１４４等を記憶する記憶部１４０と、スキャンリストデータ１４２等を更新する更新部１３０と、無線通信部１２０等を制御する制御部１５０と、判定部１６０と、入力部としての機能を有するＵＳＢインターフェイス部１７０を含んで構成されている。なお、スキャンリストデータ１４２は、アクセスポイントに関する情報を示すデータであり、ネットワーク設定データ１４４は、プロジェクター１００における通信方式等を示すデータである。
【００２０】
また、プロジェクター１００は、以下のハードウェアを用いてこれらの各部として機能してもよい。例えば、プロジェクター１００は、無線通信部１２０は無線通信ユニット等、更新部１３０、制御部１５０、判定部１６０はＣＰＵ等、記憶部１４０は不揮発性メモリー等、ＵＳＢインターフェイス部１７０、１７２はＵＳＢインターフェイス等、受付部１８０は受光ユニット、操作ボタン等、投写部１９０は画像処理回路、ランプ、液晶パネル、液晶駆動回路、レンズ等を用いてもよい。
【００２１】
次に、本実施例における無線通信手順について説明する。図３は、第１の実施例における無線通信手順を示すフローチャートである。また、図４は、第１の実施例における無線ＬＡＮ設定画像（指定画像）４１０の一例を示す図である。また、図５は、第１の実施例におけるセキュリティー設定画像４２０の一例を示す図である。また、図６は、第１の実施例における設定完了画像４３０の一例を示す図である。
【００２２】
ユーザーは、プロジェクター１００のリモコン（リモートコントローラー）を操作することにより、プロジェクター１００に環境設定メニュー画像を投写させ、環境設定メニューからネットワーク設定メニューを選択する。投写部１９０は、受付部１８０からのネットワーク設定メニューが選択されたことを示す情報に基づき、ネットワーク設定画像（無線ＬＡＮ設定画像４１０、セキュリティー設定画像４２０、設定完了画像４３０等）を投写する（ステップＳ１）。なお、ネットワーク設定画像は、ＯＳＤ（On Screen Display）画像の一種である。
【００２３】
例えば、ネットワーク設定画像で無線ＬＡＮが選択された場合、投写部１９０は、無線ＬＡＮ設定画像４１０を含む画像４００を投写する。図４に示す例では、無線ＬＡＮ設定用のサブメニューで、接続モードとしてマニュアルモード（インフラストラクチャーモード）が選択され、ＳＳＩＤが入力されている。なお、図４のネットワーク設定画像４１０は、簡略化したものであるが、実際には、ＩＰアドレスの入力欄等も含む。
【００２４】
また、ネットワーク設定画像でセキュリティーが選択された場合、投写部１９０は、セキュリティー設定画像４２０を含む画像４０１を投写する。セキュリティー設定画像４２０は、ＷＥＰ（Wired Equivalent Privacy）、ＷＰＡ（Wi-Fi Protected Access）、ＥＡＰ（Extensible Authentication Protocol）等の暗号化方式を選択させる画像を含む。なお、投写部１９０は、選択された暗号化方式に応じてユーザー名、パスワード、電子証明書等を入力させる画像を投写する。また、更新部１３０は、ネットワーク設定画像での設定に応じて記憶部１４０におけるネットワーク設定データ１４４を更新する。
【００２５】
また、ネットワーク設定画像で選択完了が選択された場合、投写部１９０は、設定完了画像４３０を含む画像４０２を投写する。判定部１６０は、受付部１８０からの情報に基づき、ネットワークの設定が完了したかどうかを判定する（ステップＳ２）。なお、更新部１３０は、入力されたＳＳＩＤ等を含むネットワーク設定を示すネットワーク設定データ１４４を記憶部１４０に記憶する。
【００２６】
制御部１５０は、無線通信部１２０を制御し、ネットワーク識別情報を指定しない要求情報をブロードキャスト送信させることなく、ネットワーク設定データ１４４に含まれるＳＳＩＤを指定した第１の要求パケットをブロードキャスト送信させる（ステップＳ３）。第１の要求パケットは、本発明の第１の要求情報に対応する。無線通信部１２０は、当該ＳＳＩＤを有するアクセスポイント３００から、第１の要求パケットに対する応答である第１の応答パケットを受信する（ステップＳ４）。第１の応答パケットは、本発明の第１の応答情報に対応する。更新部１３０は、第１の応答パケットに基づき、信号強度の強い順にアクセスポイント３００ごとのデータが並べ替えられるように、スキャンリストデータ１４２を更新する（ステップＳ５）。アクセスポイントは、当該アクセスポイントに設定されたＳＳＩＤと同じＳＳＩＤが指定された第１の要求パケットを受信すると、第１の応答パケットのペイロードに、当該アクセスポイントのＳＳＩＤとＢＳＳＩＤを格納して送信する。一般的にはＢＳＳＩＤとしてＭＡＣ（Media Access Control）アドレスが用いられる。更新部１３０は、スキャンリストデータ１４２に、アクセスポイントから受信した第１の応答パケットに含まれるＳＳＩＤとＢＳＳＩＤを登録する。
【００２７】
判定部１６０は、スキャンリストデータ１４２と、ネットワーク設定データ１４４に基づき、入力されたＳＳＩＤと一致するＳＳＩＤを有するアクセスポイントのデータがスキャンリストデータ１４２にあるかどうかを判定する（ステップＳ６）。ＳＳＩＤが一致するアクセスポイントが見つかった場合、制御部１５０は、スキャンリストデータ１４２に基づき、信号強度の最も強いアクセスポイント３００に対し、当該ＳＳＩＤ、当該ＳＳＩＤに対応したＢＳＳＩＤを指定した第２の要求パケットを無線通信部１２０にユニキャスト送信させる（ステップＳ７）。第２の要求パケットは、本発明の第２の要求情報に対応する。なお、信号強度の最も強いアクセスポイント３００に接続できない場合、無線通信部１２０は、信号強度が２番目に強いアクセスポイント３００に対し、上記要求パケットを送信する。３番目以降も同様である。
【００２８】
一方、入力されたＳＳＩＤとスキャンリスト１４２に登録されたＳＳＩＤとが一致しない場合、判定部１６０は、ＳＳＩＤが一致しないことを示す情報を、ＵＳＢインターフェイス部１７０、１７２を介して投写部１９０に出力する。図７は、第１の実施例における警告画像４４０の一例を示す図である。この場合、投写部１９０は、ＳＳＩＤが一致しないことを示す判定結果画像の一種である警告画像４４０を含む画像４０３を投写する（ステップＳ８）。警告画像４４０は、例えば、「ネットワークに接続できません。アクセスポイントの設定を確認してください。」といった文字列を示す。
【００２９】
以上のように、本実施例によれば、プロジェクター１００は、ＳＳＩＤを指定した第１の要求パケットを送信して応答情報を受信することにより、アクセスポイント３００に関する十分な情報を得ることができ、当該情報をスキャンリストデータ１４２に反映することができる。プロジェクター１００は、スキャンリストデータ１４２を用いてアクセスポイント３００に接続することにより、接続先のアクセスポイント３００を一覧表示する機能を有していない場合であっても、より確実に接続することができる。
【００３０】
また、本実施例によれば、プロジェクター１００は、ネットワーク識別情報を指定しない要求情報をブロードキャスト送信しないことにより、より迅速にアクセスポイント３００に接続することが可能になる。例えば、通常は、ネットワーク識別情報を指定しない要求情報がブロードキャスト送信されてから、アクセスポイントに関する情報が取得されるまで６秒程度必要になる。これに対し、本実施例によれば、プロジェクター１００は、ネットワーク識別情報を指定しない要求情報をブロードキャスト送信しないことにより、１秒程度でアクセスポイントに関する情報を取得することができる。
【００３１】
また、本実施例によれば、プロジェクター１００は、信号強度の強い順に、ＳＳＩＤを指定した第２の要求パケットをユニキャスト送信することにより、より迅速に所望のアクセスポイント３００に接続することができる。また、本実施例によれば、プロジェクター１００は、信号強度の強い順にアクセスポイントに関するデータを並べ替えることにより、無線通信部１２０および制御部１５０が信号強度の強い順序を判断しやすい。
【００３２】
また、本実施例によれば、プロジェクター１００は、ＳＳＩＤおよびＢＳＳＩＤを指定した第２の要求パケットをユニキャスト送信することにより、アクセスポイント３００のＳＳＩＤが非公開の設定であっても、当該アクセスポイント３００への接続に必要な情報を得ることができる。これにより、プロジェクター１００は、ＳＳＩＤが非公開の設定が行われたアクセスポイント３００に接続する場合であっても、接続エラーの発生を低減することができる。
【００３３】
また、本実施例によれば、プロジェクター１００は、入力されたＳＳＩＤと一致するＳＳＩＤを有するアクセスポイント３００が検出されなかったことを示す警告画像４４０を投写することにより、ユーザーは、自分が指定したＳＳＩＤと一致するアクセスポイント３００があるかどうかを判断することができる。
【００３４】
（その他の実施例）
なお、本発明の適用は上述した実施例に限定されず、変形が可能である。例えば、更新部１３０は、第１の応答情報に含まれる優先度を示す情報に基づき、優先度順にスキャンリストデータ１４２に含まれるアクセスポイント３００ごとのデータを並べ替え、無線通信部１２０は、スキャンリストデータ１４２に基づき、優先度順に、ＳＳＩＤを指定した第２の要求情報をユニキャスト送信することにより、当該ＳＳＩＤに対応したアクセスポイント３００との接続を行ってもよい。これによれば、プロジェクター１００は、優先度順に、ＳＳＩＤを指定した第２の要求情報をユニキャスト送信することにより、より迅速に所望のアクセスポイント３００に接続することができる。
【００３５】
また、更新部１３０は、スキャンリストデータ１４２に含まれるアクセスポイント３００ごとのデータを並べ替えなくてもよい。例えば、更新部１３０は、第１の応答情報に含まれる信号強度や優先度を示す情報に基づき、スキャンリストデータ１４２に含まれるアクセスポイント３００ごとのデータに番号等を付与し、無線通信部１２０は、スキャンリストデータ１４２に含まれる当該番号等に応じた順序で、ＳＳＩＤを指定した第２の要求情報をユニキャスト送信することにより、当該ＳＳＩＤに対応したアクセスポイント３００との接続を行ってもよい。
【００３６】
また、警告画像は、警告画像４４０に限定されず、エラー内容だけでなく、エラー番号も示す画像であってもよい。また、投写部１９０は、ＳＳＩＤが不一致の場合だけでなく、認証形式が一致しない場合、認証に失敗した場合、アクセスポイント３００から切断された場合等に警告画像を投写してもよい。また、入力部に入力されたＳＳＩＤと一致するＳＳＩＤを有するアクセスポイントの有無を示す判定結果画像は、警告画像４４０に限定されず、入力されたＳＳＩＤと一致するＳＳＩＤを有するアクセスポイントへの接続に成功したことを示す画像等であってもよい。
【００３７】
また、無線通信装置１１０を接続可能な電子機器は、プロジェクター１００に限定されない。例えば、プリンター、複合機等に無線通信装置１１０が接続されて使用されてもよい。また、無線通信装置１１０は着脱可能な装置に限定されない。例えば、プロジェクター１００は、無線通信装置１１０の機能を内蔵してもよい。また、上述した出力部、入力部は、ＵＳＢインターフェイスに限定されず、例えば、ＩＥＥＥ１３９４等の他の入出力部であってもよい。
【００３８】
また、プロジェクター１００の有するコンピューターは、情報記憶媒体に記憶されたプログラムを読み取って制御部１５０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００３９】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりにＬＥＤ等の固体光源を含んでもよい。また、プロジェクター１００の機能を複数の装置（例えば、ＰＣとプロジェクター等）に分散してもよい。
【符号の説明】
【００４０】
１０  スクリーン、２０  画像、１００  プロジェクター、１１０  無線通信装置、１２０  無線通信部、１３０  更新部、１４０  記憶部、１４２  スキャンリストデータ、１４４  ネットワーク設定データ、１５０  制御部、１６０  判定部、１７０  ＵＳＢインターフェイス部（入力部）、１７２  ＵＳＢインターフェイス部（出力部）、１８０  受付部、１９０  投写部、２００  ＰＣ、３００  アクセスポイント、４００〜４０３  画像、４１０  無線ＬＡＮ設定画像（指定画像）、４２０  セキュリティー設定画像、４３０  設定完了画像、４４０  警告画像（判定結果画像）
【図１】
2011239290.tif 000003
【図２】
2011239290.tif 000004
【図３】
2011239290.tif 000005
【図４】
2011239290.tif 000006
【図５】
2011239290.tif 000007
【図６】
2011239290.tif 000008
【図７】
2011239290.tif 000009